(57)【要約】【課題】複数の表示オブジェクトを重ねて画面上に表示する情報機器において、前面の表示オブジェクトの透過度を変更した場合に、新たに表示される背面の表示オブジェクトが、常にユーザの所望する表示オブジェクトとなるようなオブジェクト透過表示装置を提供する。【解決手段】表示オブジェクトＡの透過度を変更した場合に、表示オブジェクト情報更新指示部１０４が、あらかじめ定められた表示オブジェクトＢの上に重なる表示オブジェクトの表示オブジェクト情報の更新を、表示オブジェクト情報管理部１０３へ指示する。表示更新指示部１０２は、表示オブジェクト情報の更新を検知し、表示装置１０１に対して表示オブジェクトの表示更新を指示することにより、表示オブジェクトＡを通じて、あらかじめ定められた表示オブジェクトＢを表示装置１０１に表示することができる。【選択図】図１
2009193089.tif 000002
【特許請求の範囲】
【請求項１】
表示装置と、
前記表示装置に表示される、ウィンドウおよびウィンドウ内部の描画物である表示オブジェクトと、
前記表示オブジェクトの表示情報である表示オブジェクト情報を管理する表示オブジェクト情報管理部と、
前記表示装置に可視状態として表示されている表示オブジェクトの透過度変更要求を検知し、透過した前記表示オブジェクトを通して、あらかじめ設定されている表示オブジェクトを前記表示装置に可視状態とするよう表示オブジェクト情報を更新する表示オブジェクト情報更新指示部と、
前記表示オブジェクト情報が更新された場合に、前記表示装置へ表示オブジェクトの表示更新を指示する表示更新指示部と
を備えたオブジェクト透過表示装置。
【請求項２】
前記表示オブジェクト情報更新指示部は、
透過度変更要求を検知された表示オブジェクトとあらかじめ設定されている表示オブジェクトとの間に表示されている表示オブジェクトがある場合、当該間に表示されている表示オブジェクトの透過度を変更することを特徴とする請求項１記載のオブジェクト透過表示装置。
【請求項３】
前記表示オブジェクト情報更新指示部は、
前記間に表示されている表示オブジェクトの表示領域のうち、前記あらかじめ設定されている表示オブジェクトと重なる領域のみの透過度を変更することを特徴とする請求項２記載のオブジェクト透過表示装置。
【請求項４】
前記表示オブジェクト情報更新指示部は、
前記間に表示されている表示オブジェクトの表示領域のうち、前記透過度変更要求を検知された表示オブジェクトと重なる領域のみの透過度を変更することを特徴とする請求項２記載のオブジェクト透過表示装置。
【請求項５】
前記表示オブジェクト情報更新指示部は、前記あらかじめ設定されている表示オブジェクトが、前記透過度変更要求を検知された表示オブジェクトの直下に表示されるように表示オブジェクト情報を更新することを特徴とする請求項１記載のオブジェクト透過表示装置。
【請求項６】
前記表示オブジェクト情報更新指示部は、
透過度変更要求を検知された表示オブジェクトとあらかじめ設定されている表示オブジェクトとの間に表示されている表示オブジェクトがある場合、当該間に表示されている表示オブジェクトの表示を終了するよう表示オブジェクト情報を更新することを特徴とする請求項１記載のオブジェクト透過表示装置。
【請求項７】
前記表示オブジェクト情報更新指示部は、
前記透過度変更要求を検知された表示オブジェクトと前記あらかじめ設定されている表示オブジェクトの表示領域の重なり部分の面積が、あらかじめ設定された面積Ｓ以下である場合に、前記重なり部分の面積を広めるように前記あらかじめ設定されている表示オブジェクトの表示位置を変更することを特徴とする請求項１〜６いずれか１項に記載のオブジェクト透過表示装置。
【発明の詳細な説明】
【技術分野】
【０００１】
本発明は、液晶やＣＲＴなどに代表される表示装置上に、複数のウィンドウを表示させることができるマルチウィンドウシステムを搭載したパソコンやワークステーション、携帯電話等の情報機器において、前面に表示されているウィンドウの背景を透過表示状態あるいは、半透過表示状態に変更した場合に、あらかじめ指定しておいたウィンドウが前面に表示されたウィンドウから透けて見えるウィンドウ透過表示技術に関する。
【背景技術】
【０００２】
従来、パソコンやワークステーション、携帯電話等の情報機器において、液晶やＣＲＴなどの表示装置上に複数の画面を同時に表示したい場合には、複数のウィンドウと呼ばれる矩形領域に画面を表示する。このようなマルチウィンドウシステムの一例としては、マイクロソフト社のウィンドウズ（登録商標）や主にＵＮＩＸ（登録商標）系ＯＳ上で動作することで有名なＸウィンドウシステムなどがある。
【０００３】
このようなマルチウィンドウシステムを搭載した情報機器を操作する場合に、ユーザは、マウスやキーボードなどの入力手段を利用したウィンドウ操作（表示、移動、消去、サイズ変更など）により、自由に表示装置上に表示されるウィンドウを選択することができる。
【０００４】
しかし、複数のウィンドウを同時に表示した場合は、それぞれのウィンドウが重なり合う領域が増加することにより、ユーザが本当に表示したいウィンドウの情報が表示されないために、表示したいウィンドウを表示させるためのウィンドウ操作が煩雑になる場合がある。
【０００５】
このような複数のウィンドウを同時に表示した場合に前面のウィンドウが背面のウィンドウに重なり、背面のウィンドウの表示が隠されてしまう課題に対して、従来技術では、前面のウィンドウの背景の一部または全部を透過状態あるいは、半透過状態として表示することにより、背面に隠れているウィンドウ情報をも同時に可視状態とするものがある。（例えば、特許文献１参照）。
【特許文献１】特開平６−３０１５０５号公報
【発明の開示】
【発明が解決しようとする課題】
【０００６】
しかしながら、例えば、携帯電話を代表とする比較的画面が狭い情報機器においては、複数のウィンドウを表示する場合に、前面のウィンドウが背面のウィンドウ全体を覆うように、ウィンドウを重ねて表示することが多いが、このような情報機器では、ユーザは、前面のウィンドウを透過表示するまで、前面のウィンドウを通して新たにユーザに見える状態となる（以下、「可視状態となる」と言う）背面のウィンドウ情報を知ることができない。
【０００７】
従って、複数（３枚以上）のウィンドウが重なる状況において、前面のウィンドウを透過状態にした場合、所望しないウィンドウが表示されることがある。よって、新たに可視状態となった背面のウィンドウ情報が所望しない情報である場合は、ユーザは、所望の情報が表示されたウィンドウを、透過表示された前面のウィンドウを通して可視状態にするために、マウスやキーボードなどに代表される入力手段を用いたウィンドウ操作を必要とする。しかし、携帯電話のような画面も狭く入力手段も限られる情報機器において、複数のウィンドウが重なりあっている場合には、ユーザのウィンドウ操作は困難であるという課題が生じる。
【０００８】
本発明は、前記従来の課題を解決するもので、ウィンドウやウィンドウ内の描画物である表示オブジェクトの透過度が変更された際に、その表示オブジェクトを通じて新たに可視状態となる表示オブジェクトが、あらかじめ設定された特定の表示オブジェクトとなるように、他の表示オブジェクトの透明度を変更したり、他の表示オブジェクトとの重なり状態を変更したり、表示位置を移動したりすることによって、煩雑な表示オブジェクト操作を必要としないで、所望する画面状態を表示可能とするオブジェクト透過表示装置を提供することを目的とする。
【課題を解決するための手段】
【０００９】
前記従来の課題を解決するために、本発明のオブジェクト透過表示装置は、表示装置と、前記表示装置に表示される、ウィンドウおよびウィンドウ内部の描画物である表示オブジェクトと、前記表示オブジェクトの表示情報である表示オブジェクト情報を管理する表示オブジェクト情報管理部と、前記表示装置に可視状態として表示されている表示オブジェクトの透過度変更要求を検知し、透過した前記表示オブジェクトを通して、あらかじめ設定されている表示オブジェクトを前記表示装置に可視状態とするよう表示オブジェクト情報を更新する表示オブジェクト情報更新指示部と、前記表示オブジェクト情報が更新された場合に、前記表示装置へ表示オブジェクトの表示更新を指示する表示更新指示部を備える。
【００１０】
本構成によって、あらかじめ設定された表示オブジェクトの上に重なる複数の表示オブジェクトに邪魔されることなく、透過度の変更された表示オブジェクトを通じて所望の表示オブジェクトを表示することが可能である。
【発明の効果】
【００１１】
本発明のオブジェクト透過表示装置によれば、表示オブジェクトの透過度を変更した場合に、透過度を変更された表示オブジェクトを通じて所望する表示オブジェクトを可視状態とすることができる。
【発明を実施するための最良の形態】
【００１２】
以下本発明の実施の形態について、図面を参照しながら説明する。
【００１３】
（実施の形態）
図１は、本発明の実施の形態におけるオブジェクト透過表示装置の構成の一例を示すブロック図である。
【００１４】
図１において、表示装置１０１は、液晶やＣＲＴなどである。表示更新指示部１０２は、表示オブジェクト情報管理部１０３が保持する表示オブジェクト情報に基づいて、ウィンドウやウィンドウ内部の描画物である表示オブジェクトを、表示装置１０１に表示するように指示する。
【００１５】
図２では、表示装置１０１に表示ウィンドウまたは表示オブジェクトが重なって表示されている例を示す。図２におけるｘ座標、ｙ座標は表示オブジェクトの表示位置を表すのに用いる。図２の表示装置１０１の表示画面２０１では、表示オブジェクト１０００１と表示オブジェクト１０００２を持つ表示ウィンドウ１０００の背後に、表示オブジェクト２０００１を持つ表示ウィンドウ２０００が表示されており、その背後に表示オブジェクト３０００１を持つ表示ウィンドウ３０００が表示されていることを表している。
【００１６】
図３における表示オブジェクト情報は、それぞれの表示オブジェクトを特定する表示オブジェクトＩＤ、表示オブジェクトがどのウィンドウに存在しているかを示す表示ウィンドウＩＤ、表示オブジェクトの表示位置や表示領域を定めるＸ座標値、Ｙ座標値や幅、高さ、また、オブジェクトを表示する際の透過度、表示オブジェクトが実際に表示装置１０１で可視状態にあるかどうかを示す可視状態、可視状態の表示オブジェクトの透過度を変更した場合、透過した表示オブジェクトを通して可視状態にするようあらかじめ設定した表示オブジェクトであるかどうかを示す設定状態、表示オブジェクト間の重なり順序等である。
【００１７】
ここでは、「透過度」が「０」の場合は非透過状態、「１」の場合は透過状態とし、「可視」が「０」の場合は可視状態、「１」の場合は可視状態ではないこととする。また、「設定」が「０」の場合は、可視状態の表示オブジェクトの透過度を変更した際、透過した表示オブジェクトを通して可視状態にするようあらかじめ設定されていないオブジェクト、「１」の場合は、可視状態の表示オブジェクトの透過度を変更した際、透過した表示オブジェクトを通して可視状態にするようあらかじめ設定されているオブジェクトとし、「重なり順序」は一番上から順番に「１」、「２」、「３」・・・と番号をつけた例とする。
【００１８】
ここで、現在可視状態である表示ウィンドウを表示ウィンドウＡ、または表示オブジェクトを表示オブジェクトＡ、可視状態の表示オブジェクトの透過度が変更された場合、可視状態になるようあらかじめ設定されている表示ウィンドウを表示ウィンドウＢ、または表示オブジェクトを表示オブジェクトＢと、以下呼ぶことにする。
【００１９】
表示更新指示部１０２は、表示オブジェクト情報管理部１０３で管理される表示オブジェクト情報が更新されたことを検知し、表示装置１０１へ表示オブジェクトの表示更新を指示する。
【００２０】
表示オブジェクト情報管理部１０３は、表示装置１０１に表示されている表示オブジェクトや表示ウィンドウの表示オブジェクト情報を保持する。また、表示オブジェクト情報更新指示部１０４が表示オブジェクト情報を更新する。次に、表示更新指示部１０２が表示オブジェクト情報の更新を検知する。
【００２１】
表示オブジェクト情報更新指示部１０４は、表示オブジェクト情報管理部１０３で管理される表示オブジェクトの中から、可視状態である表示オブジェクトＡの透過度変更要求を受ける。次に表示オブジェクト情報更新指示部１０４は、表示オブジェクトＡの透過度を変更する際に、表示オブジェクトＡを通してあらかじめ設定されていた表示オブジェクトＢ（表示オブジェクト情報管理部１０３が管理する表示オブジェクト情報の「設定」項目が「１」）が表示装置１０１に可視状態となるように、表示オブジェクト情報管理部１０３の表示オブジェクト情報を更新する。
【００２２】
より具体的には、可視対象判定部１０５が、表示オブジェクト情報管理部１０３が管理する表示オブジェクト情報の「設定」項目の中から、「１」の表示オブジェクト、つまり、表示オブジェクトＢがあるか否かを判定する。表示オブジェクトｂがあると判定された場合、重なり判定部１０６へ、表示オブジェクトＢがないと判定された場合、可視対象判定部１０５は表示オブジェクト情報管理部１０３が管理する表示オブジェクトＡの透過度を変更する。
【００２３】
重なり判定部１０６は、表示オブジェクトＢがあると判定された場合、表示オブジェクトＡと表示オブジェクトＢとの間に表示オブジェクトがあるか否かを判定する。重なりがあると判定された場合、重なり判定部１０６は表示オブジェクトＢが可視状態となるよう表示オブジェクト情報管理部１０３の表示オブジェクト情報を更新する。また、重なりがないと判定された場合、重なり判定部１０６は表示オブジェクト情報管理部１０３が管理する表示オブジェクトＡの透過度を変更する。
【００２４】
なお、表示オブジェクト情報更新指示部１０４は、表示オブジェクト情報の更新を伴わず、表示情報更新指示部１０２に対して表示装置１０１への表示更新を指示することもできる。
【００２５】
また、表示オブジェクトＡの透過度を変更するとしたが、可視状態である表示ウィンドウＡの透過度を変更するとしてもよく、同様にあらかじめ設定されていた表示オブジェクトＢを表示ウィンドウＢとしてもよい。
【００２６】
図４は、本発明の実施の形態におけるオブジェクト透過表示装置の動作の一例を示すフローチャートである。図４のフローチャートに従い、本発明の実施の形態におけるオブジェクト透過表示装置の各機能ブロックの動作を説明する。
【００２７】
ステップＳ４０１において、表示オブジェクト情報更新指示部１０４は、表示オブジェクト情報管理部１０３において管理される表示オブジェクトの中から、可視状態となっている表示オブジェクトＡに対する透過度変更要求を検知する。ここで、「透過度変更要求」は透過対象となる表示オブジェクトＡと透過度とを含んでいるとする。
【００２８】
ステップＳ４０２において、表示オブジェクト情報更新指示部１０４は、表示オブジェクト情報管理部１０３で管理される複数の表示オブジェクト情報から、あらかじめ設定されていた表示オブジェクトＢの上に表示オブジェクトＡ以外の表示オブジェクトが重なっているかどうかを判定する。
【００２９】
ここで、複数の表示オブジェクトが互いに重なっているかどうかは、表示オブジェクト情報（図３）の「重なり順序」によって判別できる。また、どの表示オブジェクトが表示オブジェクトＢであるかは、表示オブジェクト情報の設定状態（例えば、図３の「設定」の項目が「１」）によって判別できる。
【００３０】
ステップＳ４０３は、ステップＳ４０２において、表示オブジェクトＢの上に、表示オブジェクトＡ以外の表示オブジェクトが重なっていないと判定された場合に実行される処理で、ステップＳ４０１で、表示オブジェクト情報更新指示部１０４が検知した、表示オブジェクトの透過度変更要求に基づき、表示オブジェクト情報更新指示部１０４が、表示オブジェクト情報管理部１０３において管理される表示オブジェクトＡの透過度を変更する。
【００３１】
なお、ここでは、表示オブジェクトＢがあることを前提に説明しているが、表示オブジェクトがない場合（表示オブジェクトＢを設定していない、表示オブジェクトＢが表示されていない等）は、直下の表示オブジェクトを可視状態にしてもよいし、表示オブジェクトＡの透過度を変更しないとしてもよい。
【００３２】
ステップＳ４０４は、ステップＳ４０２において、表示オブジェクトＢの上に、表示オブジェクトＡ以外の表示オブジェクトが重なっていると判定された場合に実行される処理で、表示オブジェクト情報更新指示部１０４は、表示オブジェクトＢに重なっていると判定された表示オブジェクトの透過度を透過あるいは、半透過状態になるように表示オブジェクト情報を更新する。なお、表示オブジェクトＡの透過度は、ステップＳ４０１における透過度変更要求で通知された透過度とする。
【００３３】
ステップＳ４０５は、ステップＳ４０３または、ステップＳ４０４の後に実行される処理で、表示オブジェクト情報管理部１０３において、表示オブジェクト情報更新が実行されたことを表示更新指示部１０２が検知し、表示オブジェクト情報管理部１０３の表示オブジェクト情報に基づいて、表示オブジェクトＢが可視状態で表示されるよう表示装置１０１に指示する。
【００３４】
以上、本実施の形態におけるオブジェクト透過表示装置の一例として、その構成と処理内容を説明した。ここでは、表示オブジェクトについて、透過度を設定したり、透過度を変更する際に可視状態にするようあらかじめ設定したりする場合のみ説明したが、表示ウィンドウについて透過度を設定したり、透過度を変更する際に可視状態にするようあらかじめ設定したりしてもよい。
【００３５】
続いて、図５の具体例を用いて図４のフローチャート処理を説明する。なお、以降、説明に用いる図中、説明済みの符合については、その都度の説明は省略する。
【００３６】
図５は、本発明の実施の形態におけるオブジェクト透過表示装置を携帯電話に適用したときの具体例である。なお、携帯電話だけでなく、携帯情報端末やデジタルカメラ等にも適用できる。
【００３７】
図５において、５０１〜５０４は、図４のフローチャート処理を開始する前の表示オブジェクトであって、５０１は、前述した表示オブジェクトＡに相当し、一例として、携帯電話のメールアプリケーションの画面としている。以後、表示オブジェクトＡ（５０１）と表記する。また、５０４は、あらかじめ設定された表示オブジェクトＢに相当し、ここでは、一例として天気予報中のテレビアプリケーションの画面としている。以後、表示オブジェクトＢ（５０４）と表記する。
【００３８】
また、表示オブジェクト５０２と５０３は、表示オブジェクトＢ（５０４）の上に重なる２つの表示オブジェクトを示している。  また、携帯電話の表示装置（例えば液晶画面）上には、表示オブジェクトＡ（５０１）のみ可視状態となっているものとする。つまり、表示オブジェクトＡ（５０１）が非透過状態であれば、表示オブジェクト５０２、５０３、５０４は、表示オブジェクトＡ（５０１）に隠され携帯電話のユーザが視認することができない状態となっている。
【００３９】
このような、条件下で、前述したステップＳ４０１に従って、表示オブジェクトＡ（５０１）に対する透過度変更要求を表示オブジェクト情報更新指示部１０３が検知すると、ステップＳ４０２において、表示オブジェクト情報更新指示部１０４は、表示オブジェクト情報管理部１０３の表示オブジェクト情報を参照し、あらかじめ設定された表示オブジェクトＢ（５０４）の上に表示オブジェクトＡ以外の表示オブジェクト（表示オブジェクト５０２、表示オブジェクト５０３）が重なっていると判定する。
【００４０】
ステップＳ４０３の処理としては、表示オブジェクト情報更新指示部１０４は、表示オブジェクトＢ（５０４）の上に重なる表示オブジェクト５０２と５０３の透過度を完全透過状態とし、表示オブジェクトＡ（５０１）の透過度については、ステップＳ４０１の透過度変更要求に従った透過度となるような表示オブジェクト情報更新を表示オブジェクト情報管理部１０３に指示する。その後、前述したステップＳ４０５の処理が実行され、図４の透過表示画面（５０５）が表示される。
【００４１】
透過表示画面（５０５）は、図４のフローチャートを経て、透過度変更後の表示オブジェクト５０６〜５０８（表示オブジェクト５０１〜５０３のそれぞれの透過度が変更された、透過表示オブジェクト）と表示オブジェクトＢ（５０４）が重なりあって表示装置１０１に表示された結果を示している。以後、透過度変更後の表示オブジェクトＡ（５０１）に対応する表示オブジェクト５０６を透過表示オブジェクトＡ（５０６）とする。
【００４２】
透過表示画面（５０５）の表示結果より、携帯電話のユーザは、メールアプリケーション画面である透過表示オブジェクトＡ（５０６）を通じて、あらかじめ設定されたテレビアプリケーション画面である表示オブジェクトＢ（５０４）を同時に見ることができる。
【００４３】
なお、本実施の形態として、ステップＳ４０４では、あらかじめ設定された表示オブジェクトＢの上に重なる表示オブジェクトの透過度を変更したが、表示オブジェクトＢの表示領域と重なる領域の透過度を部分的に変更してもよい。これにより、表示オブジェクトＢの表示領域が過不足なく、表示オブジェクトＡを通じて可視状態にすることができる。
【００４４】
また、ステップＳ４０４では、表示オブジェクトＢの上に重なる表示オブジェクトＡと重なる領域のみの透過度を部分的に変更してもよい。これにより、本来、透過度変更要求のあった、表示オブジェクトＡのみの表示領域のみを通じて表示オブジェクトＢが表示されるため、可視状態かつ表示オブジェクトＢの上に重なる他の表示オブジェクトが予期せず透過度変更されることを防ぐことができる。
【００４５】
なお、本実施の形態として、ステップＳ４０４では、表示オブジェクトＡの直下に表示オブジェクトＢが重なるように、表示オブジェクト間の重なり順序を変更したうえで、表示オブジェクトＡの透過度を変更してもよい。これにより、図５の表示オブジェクト５０１〜５０４の重なりは、図６の（Ａ）で示される表示オブジェクトの重なり順序へと変更される。つまり、表示オブジェクトＢ（６０１）が表示オブジェクトＡ（５０６）の直下の表示オブジェクトとなるよう重なりの順序が変わる。これより、表示オブジェクトＡの透過度変更と併せて、最終的には、透過表示画面（５０５）が可視状態として表示装置１０１に表示される。
【００４６】
また、本実施の形態として、ステップＳ４０４では、表示オブジェクトＡと表示オブジェクトＢの両方と重なりのある表示オブジェクトについては、その表示を終了させた上で、表示オブジェクトＡの透過度を変更してもよい。これにより、図５の表示オブジェクト５０１〜５０４の重なりは、図６の（Ｂ）で示されるように、透過表示オブジェクトＡ（５０６）とオブジェクトＢ（６０２）のみの重なりとなる。従って、最終的には、透過表示画面（５０５）が可視状態として表示装置１０１に表示される。
【００４７】
なお、前述したステップＳ４０４の処理において、表示オブジェクトＢと表示オブジェクトＡの表示領域の重なり面積が、あらかじめ定められた面積Ｓ以下となる場合に、重なり面積を広めるように、表示オブジェクトＢの表示位置を変更したうえで、表示オブジェクトＢの上に重なる表示オブジェクトの透過度や重なり順序や表示状態、あるいは、それらの組み合わせにより、表示オブジェクトＡを通して表示オブジェクトＢが表示されるようにしてもよい。
【００４８】
これにより、図７の上図に示されるように、表示オブジェクトＡ（５０１）と表示オブジェクトＢ（５０４）の表示領域の重なり部分（図７の７０１で示される斜線部で、Ｓ１はその面積）が極端に狭い場合、すなわち面積Ｓ１（７０１）＜あらかじめ設定された面積Ｓ（Ｓ≧０）であったとしても、表示オブジェクトＢ（５０４）の表示位置を図７の右下図のように移動し、表示オブジェクト５０２〜５０３の重なり順序を変更したうえで、透過表示オブジェクトＡ（５０６）を通して、表示オブジェクトＢ（５０３）が可視状態となる透過表示画面（５０５）を表示装置１０１に表示することができる。
【００４９】
なお、以上に述べたステップＳ４０４での表示オブジェクト情報変更指示部１０４の振る舞いは、あらかじめ設定された表示オブジェクトＢの上に他の表示オブジェクトが重なる場合において、表示オブジェクトＡを通して、ユーザの所望な形式で表示オブジェクトＢが表示装置１０１に可視状態となるようにするために、前述したそれぞれのステップＳ４０４の処理を組み合わせてもよい。
【００５０】
なお、本実施の形態において、オブジェクト透過表示装置を構成する各機能ブロックは、典型的には、ＣＰＵやメモリや要した情報機器上で動作するプログラムとして実現されるが、その機能の一部または全部を集積回路であるＬＳＩとして実現してもよい。これらのＬＳＩは、個別に１チップ化されても良いし、一部又は全てを含むように１チップ化されても良い。ここでは、ＬＳＩとしたが、集積度の違いにより、ＩＣ、システムＬＳＩ、スーパーＬＳＩ、ウルトラＬＳＩと呼称されることもある。
【００５１】
また、集積回路化の手法はＬＳＩに限るものではなく、専用回路又は汎用プロセッサで実現してもよい。ＬＳＩ製造後に、プログラムすることが可能なＦＰＧＡ（ＦＩＥＬＤ  ＰＲＯＧＲＡＭＭＡＢＬＥ  ＧＡＴＥ  ＡＲＲＡＹ）や、ＬＳＩ内部の回路セルの接続や設定を再構成可能なリコンフィギュラブル・プロセッサーを利用しても良い。
【００５２】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【００５３】
以上により、本発明のオブジェクト透過表示装置によれば、表示オブジェクトの透過度を変更した場合に、ユーザの煩雑な表示オブジェクト操作を必要としないで、透過度を変更された表示オブジェクトを通じてユーザが所望する表示オブジェクトを可視状態とすることができる。
【産業上の利用可能性】
【００５４】
本発明にかかるオブジェクト透過表示装置は、ウィンドウが重なり、覆いあって表示されるようなマルチウィンドウシステムにおいて、透過あるいは、半透過表示されているウィンドウを通してあらかじめ設定されたウィンドウが表示されるという効果を有し、携帯電話や携帯情報端末等の画面が狭く、表示オブジェクトが別の表示オブジェクトを隠すことが多い機器や、システムにおいて有用である。また、デジタルカメラや車載機器などの用途にも応用できる。
【図面の簡単な説明】
【００５５】
【図１】本発明の実施の形態におけるオブジェクト透過表示装置の構成の一例を示すブロック図
【図２】本発明の実施の形態における表示装置に表示されるオブジェクトの一例を示すブロック図
【図３】本発明の実施の形態における表示オブジェクト情報の一例を示す図
【図４】本発明の実施の形態におけるオブジェクト透過表示装置の動作の一例を示すフローチャート
【図５】本発明の実施の形態におけるオブジェクト透過表示装置の携帯電話へ適用した場合の具体例を示す図
【図６】本発明の実施の形態におけるオブジェクト透過表示装置の携帯電話へ適用した場合の具体例を示す図
【図７】本発明の実施の形態におけるオブジェクト透過表示装置の携帯電話へ適用した場合の具体例を示す図
【符号の説明】
【００５６】
１０１    表示装置
１０２    表示更新指示部
１０３    表示オブジェクト情報管理部
１０４    表示オブジェクト情報更新指示部
１０５    可視対象判定部
１０６    重なり判定部
２０１    表示画面
３０１    表示オブジェクト情報
５０１    表示オブジェクトＡ
５０２，５０３    表示オブジェクト
５０４    表示オブジェクトＢ
５０５    透過表示画面
５０６    透過表示オブジェクトＡ
５０７，５０８    透過表示オブジェクト
６０１，６０２    表示オブジェクトＢ
７０１    表示領域の重なり部分
【図１】
2009193089.tif 000003
【図２】
2009193089.tif 000004
【図３】
2009193089.tif 000005
【図４】
2009193089.tif 000006
【図５】
2009193089.tif 000007
【図６】
2009193089.tif 000008
【図７】
2009193089.tif 000009